(57)【要約】  スライドファスナー用の第１スライダー（１）は、スライダー胴体（７）とラッチ部（３）と引手取付部（５）とからなる。引手取付部（５）は、スライダー胴体（７）の上側（８５）に配されており、ラッチ部（３）は、スライダー胴体（７）の下側（８７）に配されている。第１スライダー（１）のラッチ部（３）は、ラッチ部材（３５）と収容部（３７）とからなっており、第１スライダー（１）のラッチ部材（３５）と収容部（３７）は、第１及び第２スライダーを取り外し自在にラッチ連結するため、協働する第２スライダー（２）に設けられた、夫々、収容部（３７）とラッチ部材（３５）と係合するのである。
2007529236.tif 000002
【特許請求の範囲】
【請求項１】
スライドファスナー用のスライダーであって、当該スライダーは、一対の相互に係合するストリンガーを係合したり、外したりするために、当該一対のストリンガーに沿って滑動可能であるスライダー胴体であって、当該スライダー胴体は、使用者がストリンガーに沿ってスライダーを滑動することができるように引手等を取り付けるための上側を有するスライダー胴体と、
当該スライダーを、これと協働するスライダーに係合させるためにスライダー胴体の下側に設けられたラッチ部とからなる前記スライダー。
【請求項２】
ラッチ部は、協働するスライダーと係合したり、外れたりするためのスナップ型ラッチ部材からなることを特徴とする請求項１に記載されたスライダー。
【請求項３】
ラッチ部は、協働するスライダーのラッチ部材を収容するための収容部材からなることを特徴とする請求項２に記載されたスライダー。
【請求項４】
ラッチ部材又は収容部材のうちの一方又は双方は、協働するスライダーと係合したり外れたりする際に弾性的に変形することを特徴とする請求項３に記載されたスライダー。
【請求項５】
当該スライダーと協働スライダーは、同一であることを特徴とする先行する請求項のいずれかひとつに記載されたスライダー。
【請求項６】
ラッチ部３は、形状ロック連結によってスライダー胴体に取り付けることが出来ることを特徴とする先行する請求項のいずれかひとつに記載されたスライダー。
【請求項７】
形状ロック連結は、ラッチ部３に形成された対応する数の凹陥部に滑動的に挿入可能であるスライダー胴体上に設けられたひとつ以上の突起部からなることを特徴とする請求項６に記載されたスライダー１。
【請求項８】
当該突起部は、傾斜面と直立面とを有する傾斜台であって、当該直立面は、スライダー胴体７がラッチ部から後退することを防止するため、凹陥部の一側と当接することを特徴とする請求項７に記載されたスライダー１。
【請求項９】
一対のストリンガーを分離してスライドファスナーを開口し、ストリンガーを連結してスライドファスナーを閉鎖するために、当該一対のストリンガー上で滑動自在に配された第１スライダーと第２スライダーであって、夫々のスライダーは、スライダー胴体を有しており、当該スライダー胴体は、使用者がストリンガーに沿ってスライダーを滑動させることが出来るように引手等を取り付けるための上側を有している当該第１スライダーと第２スライダーと、
第１スライダー胴体の下側に配されている収容部と、
第２スライダー胴体の下側に配され、当該収容部と係合可能になっているラッチ部とからなるスライドファスナーであって、
収容部は、第１及び第２スライダーを取り外し自在にラッチ連結するためにラッチ部材と係合するように配されていることを特徴とする前記スライドファスナー。
【請求項１０】
ストリンガーを分離してスライドファスナーを開口し、ストリンガーを連結してスライドファスナーを閉鎖するために、一対のストリンガー上で滑動自在に配された第１スライダーと第２スライダーであって、夫々のスライダーは、スライダー胴体を有しており、当該スライダー胴体は、使用者がストリンガーに沿ってスライダーを滑動させることが出来るように引手等を取り付けるための上側を有している当該第１スライダーと第２スライダーと、
第１スライダー胴体の下側に配された第１収容部と、
第２スライダー胴体の下側に配され、第１収容部と係合可能になっている第１ラッチ部材と、
第２スライダー胴体の下側に配された第２収容部と、
第１スライダー胴体の下側に配され、第２収容部と係合可能になっている第２ラッチ部材とからなるスライドファスナーであって、
第１及び第２収容部は、第１及び第２スライダーを取り外し自在にラッチ連結するために夫々第１及び第２ラッチ部材と係合するように配されていることを特徴とする前記スライドファスナー。
【請求項１１】
第１スライダーと第２スライダーは、同一であることを特徴とする請求項１０に記載されたスライドファスナー。
【請求項１２】
ラッチ部材と収容部は、スナップ連結として取り外し自在にラッチ連結することを特徴とする請求項９、１０又は１１に記載されたスライドファスナー。
【請求項１３】
ラッチ部材又は収容部の一方又は双方は、他のスライダーと係合したり外れたりする際に、弾性変形することを特徴とする請求項１２に記載されたスライドファスナー。
【請求項１４】
ラッチ部材は、形状ロック連結によってスライダー胴体に取り付けることが出来ることを特徴とする請求項９乃至１３のいずれかひとつに記載されたスライドファスナー。
【請求項１５】
形状ロック連結は、ラッチ部材の対応する数の凹陥部に滑動自在に挿入可能であるスライダー胴体上に設けられたひとつ以上の突起部からなることを特徴とする請求項１４に記載されたスライドファスナー。
【請求項１６】
突起部は、傾斜面と直立面とを有する傾斜台であって、直立面は、スライダー胴体がラッチ部材から後退するのを防止するため凹陥部の側部に当接することを特徴とする請求項１５に記載されたスライドファスナー。
【請求項１７】
係合ストリンガーを分離してスライドファスナーを開口し、係合ストリンガーを連結してスライドファスナーを閉鎖するために一対の係合ストリンガー上に滑動自在に配されている第１スライダーと第２スライダーであって、夫々のスライダーは、その間にスライドファスナーエレメントを保持する上翼部と下翼部とを持つスライダー胴体と、使用者がストリンガーに沿ってスライダーを滑動させることが出来るように上翼部に取り付けられた引手等を有する当該第１スライダーと第２スライダーと、
第１スライダー胴体の下翼部に配された収容部と、
第２スライダー胴体の下翼部に配され、当該収容部と係合可能になっているラッチ部材とからなるスライドファスナーであって、
収容部は、第１及び第２スライダーを取り外し自在にラッチ連結するためにラッチ部材と係合するように配されていることを特徴とする前記スライドファスナー。
【請求項１８】
係合ストリンガーを分離してスライドファスナーを開口し、係合ストリンガーを連結してスライドファスナーを閉鎖するために一対の係合ストリンガー上に滑動自在に配されている第１スライダーと第２スライダーであって、夫々のスライダーは、スライダー胴体を有しており、当該スライダー胴体は、その間にスライドファスナーエレメントを保持する上翼部と下翼部と、使用者がストリンガーに沿ってスライダーを滑動させることが出来るように上翼部に取り付けられた引手等を有する当該第１スライダーと第２スライダーと、
第１スライダー胴体の下翼部に配された第１収容部と、
第２スライダー胴体の下翼部に配され、第１収容部と係合可能である第１ラッチ部材と、
第２スライダー胴体の下翼部に配された第２収容部と、
第１スライダー胴体の下翼部に配され、第２収容部と係合可能である第２ラッチ部材とからなるスライドファスナーであって、
第１及び第２収容部は、第１及び第２スライダーを取り外し自在にラッチ連結するために、夫々、第１及び第２ラッチ部材と係合するように配されていることを特徴とする前記スライドファスナー。
【請求項１９】
第１スライダーと第２スライダーは、同一であることを特徴とする請求項１８に記載されたスライドファスナー。
【請求項２０】
ラッチ部材と収容部は、スナップ連結として取り外し自在にラッチ連結することを特徴とする請求項１７、１８又は１９に記載されたスライドファスナー。
【請求項２１】
ラッチ部材又は収容部の一方又は双方は、他のスライダーと係合したり外れたりする際に、弾性変形することを特徴とする請求項２０に記載されたスライドファスナー。
【請求項２２】
第１及び第２スライダーを引き離すために１５乃至２５Ｎの力がかけられることを特徴とする請求項９乃至２１のいずれかひとつに記載されたスライドファスナー。
【請求項２３】
第１及び第２スライダーを引き離すために１８乃至２２Ｎの力がかけられることを特徴とする請求項２２に記載されたスライドファスナー。
【請求項２４】
第１及び第２スライダーを引き離すために２０Ｎの力がかけられることを特徴とする請求項２２に記載されたスライドファスナー。
【請求項２５】
バッグの外壁に形成された開口部の縁部に設けられた一対の係合ストリンガーを有するスライドファスナーと、
係合ストリンガーを分離してスライドファスナーを開口し、ストリンガーを連結してスライドファスナーを閉鎖するために係合ストリンガー上に滑動可能に配された第１スライダー及び第２スライダーと、
第１スライダーに配された収容部と、
第２スライダーに配され、当該収容部と係合可能であるラッチ部材とからなるバッグであって、
当該収容部は、第１及び第２スライダーを取り外し自在にラッチ連結するためにラッチ部材と係合するように配されており、収容部とラッチ部材は、バッグの内部に配されていることを特徴とする前記バッグ。
【請求項２６】
バッグの外壁に形成された開口部の縁部に設けられた一対の係合ストリンガーを有するスライドファスナーと、
係合ストリンガーを分離してスライドファスナーを開口し、ストリンガーを連結してスライドファスナーを閉鎖するために係合ストリンガー上に滑動可能に配された第１スライダー及び第２スライダーと、
第１スライダーに配された第１収容部と、
第２スライダーに配され、第１収容部と係合可能である第１ラッチ部材と、
第２スライダーに配された第２収容部と、
第１スライダーに配され、第２収容部と係合可能である第２ラッチ部材とからなるバッグであって、
当該第１及び第２収容部は、第１及び第２スライダーを取り外し自在にラッチ連結するために夫々第１及び第２ラッチ部材と係合するように配されており、収容部とラッチ部材は、バッグの内部に配されていることを特徴とする前記バッグ。
【請求項２７】
第１スライダーと第２スライダーは、同一であることを特徴とする請求項２６に記載されたバッグ。
【請求項２８】
ラッチ部材と収容部は、スナップ連結として取り外し自在にラッチ連結することを特徴とする請求項２５、２６又は２７に記載されたバッグ。
【請求項２９】
ラッチ部材又は収容部の一方又は双方は、他のスライダーと係合したり外れたりする際に、弾性変形することを特徴とする請求項２８に記載されたバッグ。
【請求項３０】
ラッチ部材は、形状ロック連結によってスライダー胴体に取付可能であることを特徴とする請求項２５乃至２９のいずれかひとつに記載されたバッグ。
【請求項３１】
形状ロック連結は、ラッチ部材に形成された対応する数の凹陥部に滑動自在に挿入可能となっているスライダー胴体上に設けられた一つ以上の突起部からなることを特徴とする請求項３０に記載されたバッグ。
【請求項３２】
突起部は、傾斜面と直立面とを有する傾斜台であって、直立面は、スライダー胴体がラッチ部材から後退するのを防止するため凹陥部の側部と当接することを特徴とする請求項３１に記載されたバッグ。
【請求項３３】
第１及び第２スライダーを引き離すために１５乃至２５Ｎの力がかけられることを特徴とする請求項２５乃至３２のいずれかひとつに記載されたバッグ。
【請求項３４】
第１及び第２スライダーを引き離すために１８乃至２２Ｎの力がかけられることを特徴とする請求項３３に記載されたバッグ。
【請求項３５】
第１及び第２スライダーを引き離すために２０Ｎの力がかけられることを特徴とする請求項３４に記載されたバッグ。
【発明の詳細な説明】
【技術分野】
【０００１】  本発明は、スライドファスナー即ちスライディングクラスプファスナーに関するものであるが、バッグ類や衣料品に使用されるスライドファスナーに限定されるものではない。更に詳しく言えば、本発明は、スライドファスナーがその長さに沿っていかなる点においても開口することが出来るように二つの移動自在なスライダーを備えたスライドファスナーに関するものである。
【背景技術】
【０００２】  上記のタイプのスライドファスナーは、基本的には周知である。しかし、二つのスライダーが不慮に分離してしまい、この結果、ファスナーが開口してしまう傾向があった。この問題を克服するため、今までに色々なロック可能なファスナーが提案されてきた。しかし、これらのファスナーは、ロック機能をおこなう機構を備えなければならず、これらのロック機構はしばしば非常に複雑な構造であり、夫々のスライダーについて多数の部品を必要とした。【０００３】  ＥＰ−Ａ−１３００  ０９４という公開番号の下に公開された本願の出願人自身の欧州特許出願において、一方のスライダーにラッチ部を設け、他方のスライダーに当該ラッチ部と係合可能な収容部を備えたスライドファスナーが開示されている。ラッチ部と収容部は、二つのスライダーを分離するために手で持って外すのである。ラッチ部と収容部は、スライダーの胴体の上部に一体的に形成されるか、或いは、スライダー胴体の上部に固定されるのである。
【発明の開示】
【発明が解決しようとする課題】
【０００４】  しかし、これら構造のいずれにおいても、スライダーの高さは、通常のスライダーの高さよりも高くなるのである。このようにスライダーの高さが高いので、スライダーは、取り付けられている物品から突出した状態になっており、このため、スライダーが他の物品と衝突する傾向があり、これによって、ラッチ装置そして／又はスライダーが磨耗したり、最終的には、壊れたりする可能性もあった。更にまた、引手が取り付けられている引手取付部が高い位置にあるので、引手取付部は、引手が引っ張られるときに大きな梃子作用を受けて破壊される虞もあった。【０００５】  従って、スライダーが不慮に分離する事を防ぐ高さの低いスライダーを提供する必要性があった。
【課題を解決するため手段】
【０００６】  本発明の第１の特徴によれば、次のようなスライドファスナー用のスライダーが提供されるのである。即ち、このスライダーは、一対の係合ストリンガーを係合したり外したりするためにストリンガーに沿って滑動自在であるスライダー胴体であって、使用者がストリンガーに沿ってスライダーを滑動させることが出来るように引手等を取り付けるための上側を有する当該スライダー胴体と、このスライダーを協働するスライダーと係合させるためにスライダー胴体の下側に設けられたラッチ部とからなる。そして、使用に際しては、ラッチ部は、スライドファスナーが取り付けられる物品の内部に配され、これによって、ラッチ部は、他の物品と衝突することが防止されるのである。
【０００７】  ラッチ部は、協働するスライダーと係合したり外れたりするためにスナップラッチ部材からなることが好ましい。
【０００８】  ラッチ部は、協働するスライダーのラッチ部材を収容するための収容部材からなることが好ましい。
【０００９】  ラッチ部材又は収容部材の一方又は双方が、協働するスライダーと係合したり外れたりする際に、弾性変形することが好ましい。
【００１０】  第１スライダーと第２スライダーは同一であって、これによって、必要な部品点数を減少させることが好ましい。
【００１１】  ラッチ部は、形状ロック連結によって、スライダー胴体に取付可能になっていることが好ましい。
【００１２】  形状ロック連結は、ラッチ部に形成された対応する数の凹陥部に滑動自在に挿入可能であるスライダー胴体上に設けられたひとつ以上の突起部からなることが好ましい。
【００１３】  突起部は、傾斜面と直立面とを有する傾斜台であって、当該直立面は、スライダー胴体がラッチ部から後退するのを防止するため凹陥部の側部と当接していることが好ましい。
【００１４】  本発明の第２の特徴によれば、つぎのようなスライドファスナーが提供されるのである。即ち、このスライドファスナーは、ストリンガーを分離してスライドファスナーを開口し、ストリンガーを連結してスライドファスナーを閉鎖するために、一対のストリンガー上で滑動自在に配された第１スライダーと第２スライダー（夫々のスライダーは、スライダー胴体を有しており、当該スライダー胴体は、使用者がストリンガーに沿ってスライダーを滑動させることが出来るように引手等を取り付けるための上側を有している。）と、第１スライダー胴体の下側に配されている収容部と、第２スライダー胴体の下側に配され、当該収容部と係合可能になっているラッチ部とからなり、当該収容部は、第１及び第２スライダーを取り外し自在にラッチ連結するためにラッチ部材と係合するように配されているのである。
【００１５】  本発明の第３の特徴によれば、つぎのようなスライドファスナーが提供されるのである。即ち、このスライドファスナーは、ストリンガーを分離してスライドファスナーを開口し、ストリンガーを連結してスライドファスナーを閉鎖するために、一対のストリンガー上で滑動自在に配された第１スライダーと第２スライダー（夫々のスライダーは、スライダー胴体を有しており、当該スライダー胴体は、使用者がストリンガーに沿ってスライダーを滑動させることが出来るように引手等を取り付けるための上側を有している。）と、第１スライダー胴体の下側に配された第１収容部と、第２スライダー胴体の下側に配され、第１収容部と係合可能になっている第１ラッチ部材と、第２スライダー胴体の下側に配された第２収容部と、第１スライダー胴体の下側に配され、第２収容部と係合可能になっている第２ラッチ部材とからなり、第１及び第２収容部は、第１及び第２スライダーを取り外し自在にラッチ連結するために夫々第１及び第２ラッチ部材と係合するように配されている。
【００１６】  第１スライダーと第２スライダーは同一であって、これによって、必要な部品点数を減少させることが好ましい。
【００１７】  ラッチ部材と収容部は、スナップ連結として取り外し自在にラッチ連結することが好ましい。
【００１８】  ラッチ部材又は収容部の一方又は双方が、他のスライダーと係合したり外れたりする際に弾性変形することが好ましい。
【００１９】  ラッチ部材は、形状ロック連結によってスライダー胴体に取付可能であることが好ましい。
【００２０】  形状ロック連結は、ラッチ部材に形成された対応する数の凹陥部に滑動自在に挿入可能であるスライダー胴体に設けられた一つ以上の突起部からなることが好ましい。
【００２１】  突起部は、傾斜面と直立面とを有する傾斜台であって、直立面は、スライダー胴体がラッチ部材から後退するのを防止するため凹陥部の側部と当接していることが好ましい。
【００２２】  本発明の別の特徴によれば、つぎのようなスライドファスナーが提供されるのである。即ち、このスライドファスナーは、係合ストリンガーを分離してスライドファスナーを開口し、係合ストリンガーを連結してスライドファスナーを閉鎖するために一対の係合ストリンガー上に滑動自在に配されている第１スライダーと第２スライダー（夫々のスライダーは、その間にスライドファスナーエレメントを保持する上翼部と下翼部とを持つスライダー胴体と、使用者がストリンガーに沿ってスライダーを滑動させることが出来るように上翼部に取り付けられた引手等を有する。）と、第１スライダー胴体の下翼部に配された収容部と、第２スライダー胴体の下翼部に配され、当該収容部と係合可能になっているラッチ部材とからなり、収容部は、第１及び第２スライダーを取り外し自在にラッチ連結するためにラッチ部材と係合するように配されている。
【００２３】  本発明の更に別の特徴によれば、つぎのようなスライドファスナーが提供されるのである。即ち、このスライドファスナーは、係合ストリンガーを分離してスライドファスナーを開口し、係合ストリンガーを連結してスライドファスナーを閉鎖するために一対の係合ストリンガー上に滑動自在に配されている第１スライダーと第２スライダー（夫々のスライダーは、スライダー胴体を有しており、当該スライダー胴体は、その間にスライドファスナーエレメントを保持する上翼部と下翼部と、使用者がストリンガーに沿ってスライダーを滑動させることが出来るように上翼部に取り付けられた引手等を有する。）と、第１スライダー胴体の下翼部に配された第１収容部と、第２スライダー胴体の下翼部に配され、第１収容部と係合可能である第１ラッチ部材と、第２スライダー胴体の下翼部に配された第２収容部と、第１スライダー胴体の下翼部に配され、第２収容部と係合可能である第２ラッチ部材とからなり、第１及び第２収容部は、第１及び第２スライダーを取り外し自在にラッチ連結するために、夫々、第１及び第２ラッチ部材と係合するように配されている。
【００２４】  第１及び第２スライダーを引き離すために１５乃至２５Ｎの力がかけられることが好ましい。第１及び第２スライダーを引き離すために１８乃至２２Ｎの力がかけられることが好ましい。第１及び第２スライダーを引き離すために２０Ｎの力がかけられることが好ましい。
【００２５】  本発明の更に別の特徴によれば、つぎのようなバッグが提供されるのである。即ち、このバッグは、バッグの外壁に形成された開口部の縁部に設けられた一対の係合ストリンガーを有するスライドファスナーと、係合ストリンガーを分離してスライドファスナーを開口し、ストリンガーを連結してスライドファスナーを閉鎖するために係合ストリンガー上に滑動可能に配された第１スライダー及び第２スライダーと、第１スライダーに配された収容部と、第２スライダーに配され、当該収容部と係合可能であるラッチ部材とからなり、当該収容部は、第１及び第２スライダーを取り外し自在にラッチ連結するためにラッチ部材と係合するように配されており、収容部とラッチ部材は、バッグの内部に配されている。
【００２６】  本発明の更に別の特徴によれば、つぎのようなバッグが提供されるのである。即ち、このバッグは、バッグの外壁に形成された開口部の縁部に設けられた一対の係合ストリンガーを有するスライドファスナーと、係合ストリンガーを分離してスライドファスナーを開口し、ストリンガーを連結してスライドファスナーを閉鎖するために係合ストリンガー上に滑動可能に配された第１スライダー及び第２スライダーと、第１スライダーに配された第１収容部と、第２スライダーに配され、第１収容部と係合可能である第１ラッチ部材と、第２スライダーに配された第２収容部と、第１スライダーに配され、第２収容部と係合可能である第２ラッチ部材とからなり、当該第１及び第２収容部は、第１及び第２スライダーを取り外し自在にラッチ連結するために夫々第１及び第２ラッチ部材と係合するように配されており、収容部とラッチ部材は、バッグの内部に配されている。
【００２７】  第１スライダーと第２スライダーは同一であって、これによって、必要な部品点数を減少させることが好ましい。
【００２８】  ラッチ部材と収容部は、スナップ連結として取り外し自在にラッチ連結することが好ましい。
【００２９】  ラッチ部材又は収容部の一方又は双方が、他のスライダーと係合したり外れたりする際に弾性変形することが好ましい。
【００３０】  ラッチ部材は、形状ロック連結によってスライダー胴体に取付可能であることが好ましい。
【００３１】  形状ロック連結は、ラッチ部材に形成された対応する数の凹陥部に滑動自在に挿入可能であるスライダー胴体に設けられた一つ以上の突起部からなることが好ましい。
【００３２】  突起部は、傾斜面と直立面とを有する傾斜台であって、直立面は、スライダー胴体がラッチ部材から後退するのを防止するため凹陥部の側部と当接していることが好ましい。
【発明の効果】
【００３３】  本発明は上記の構成からなるので、以下に説明するような効果を奏することができる。
【００３４】  使用に際して、ラッチ部は、スライドファスナーが取り付けられる物品の内部に配されるので、ラッチ部は、他の物品と衝突することが防止されるのである。
【００３５】  二つの全く同一のスライダー胴体が互いにラッチ連結することが出来るので、協働する一対のスライダーを構成するために部品点数は少なくてもよいのである。
【発明を実施するための最良の形態】
【００３６】  図１は、本発明による相互に係合している同一構造の第１スライダー１及び第２スライダー２を示す斜視図である。夫々のスライダー１，２は、ラッチ部３と引手取付部５とこれらの部分の間に配されているスライダー胴体７とからなっている。スライダー胴体７は、図１に示された一方のスライダー１の斜視図である図２からわかるように、一対のスライドファスナーストリンガーに沿って滑動し、その噛合エレメントを連結したり分離することで、スライドファスナーを閉鎖又は開口するための標準的な構造を備えている。下翼部７３と、当該下脚部７３と平行に配されている上翼部７５とを連結するための首部即ちダイアモンド７１が設けられている。上翼部７５は、その両方の横縁部７９に沿って保持フランジ７７を備えている。保持フランジ７７は、下翼部７３の方向に延びている。別の実施例において、下翼部７３と上翼部７５の双方に保持フランジ７７が設けられてもよい。【００３７】  下翼部７３と上翼部７５は、スライダー胴体７の前端部８１から後端部８３に向けて横方向寸法について幅狭になっている。首部７１は、スライダー胴体７の前端部８１に配されているが、スライダー胴体７の全長に亘って延びているわけではない。操作時においては、スライドファスナーのエレメント（図示せず）は、下翼部７３と上翼部７５の間に配されており、そして、ファスナーストリンガーのテープが保持フランジ７７と下翼部７３との間を通過するのである。スライダー１が前方に移動するにつれて、保持フランジ７７は、スライドファスナーの噛合エレメントを連結する方向に付勢する。スライダー１が後方に移動するにつれて、首部７１は、噛合エレメントを分離する。二つのスライダー１，２の前端部が互いに対面している図１に示されている配置に従えば、スライダー１，２が相互に対して離れて移動するにつれて、スライドファスナーのエレメントは、離れる方向に付勢され、スライダー１，２が相互に対して近づく方向に移動するにつれて、スライドファスナーのエレメントは、互いに近づく方向に付勢されるのである。このことは当該技術分野において周知である。【００３８】  図１について述べるが、引手取付部５は、上翼部７５の外面８５と一体的に形成されたループ５１とフック５３とからなっており、上翼部７５の外面８５は、スライダーの上側、即ちスライダーが取り付けられている物品の外側に位置する。当該ファスナーに沿ってスライダー１を容易に移動させることができるようにするため、フック５３には、引手（図示せず）を取り付けることが出来る。引手をつかみ易くするため、スライダー１，２は、取り付けられる物品上において、フック５３がこの物品の外側に来るように配されている。一方のスライダー１のループ５１は、第２のスライダー２のループ５１と一直線上に配されるので、スライダー１，２を連結するために、ループ５１に錠前のような施錠具の錠杆を通す事が出来るのである。別の実施例においては、引手取付部５には、二つのスライダーを互いに連結するためのループ５１を設けなくてもよい。又、更に別の実施例においては、引手取付部５のフック５３に代えてループを設けてもよい。このループは、当該技術分野において周知であるように、引手を受けることになる。【００３９】  以下に更に詳細に説明するラッチ部３は、下翼部７３の外面８７に取り付けられており、下翼部７３の外面８７は、スライダーの下側、即ち、スライダー１が取り付けられている物品の内側に位置する。ラッチ部３を、スライダー胴体の引手取付部５が取り付けられているのと同一の側に取り付けなかったことによって、このスライダーが、標準的な一般のスライダーと同一の外側の高さとなっているので、スライダー１，２の部分は、他の物品と衝突して損傷を受ける傾向が少ないのである。【００４０】  スライダー１，２は、一体ユニットとして製造することも、金属又はプラスチック材料から鋳造又は成型することも出来る。又、ラッチ部３、引手取付部５又はスライダー胴体７の内のひとつ以上は、金属又はプラスチックで別個に製造し、そして、これらの部品を接着その他の方法によって連結することもできるのである。この実施例においては、スライダー胴体７と引手取付部５は一体的に形成されており、他方、ラッチ部３は、これとは別個に形成された後、以下に説明するように形状ロック連結によってスライダー胴体７の下翼部７３に取り付けられるのである。【００４１】  図４乃至図８は、図１に示されているラッチ部３を示す色々な図面である。ラッチ部３は、ラッチ部材と収容部材とから構成されている。図４について説明すると、ラッチ部３は、スライダー胴体７の下翼部７３と当接する第１面３１と、使用に際して、対応するスライダーのラッチ部３と当接する前当接面３３とを有する。ラッチ部３の当接面３３は、横方向に分割されており、突出部３５を備えた部分と、テーパー状の孔部３７を備えた部分とに分かれている。突出部３５は、マッシュルーム形の断面形状を呈しており、当接面３３の近傍に位置するネック部３９と当接面３３と離れた位置にある丸みのある頭部４１とからなっている。この突出部３５がラッチ部材を構成する。【００４２】  次に、図６について述べると、テーパー状の孔部３７は、突出部３５を収容することが出来るマッシュルーム状の断面を呈している。テーパー状の孔部３７は、首部４３からなっており、当該首４３は、その開口部４５から狭幅となり、隆起部即ち段部４７を形成している。当該段部４７は、突出部３５の頭部４１の最も広幅の点４９の断面よりも小さい断面を有している。段部４７を越えると、テーパー状の孔部３７は、幅広となり、頭部５５を形成している。この孔部３７がラッチ部材を収容する収容部材を構成する。ラッチ部材と収容部材とは一体に成形されてラッチ部３となり、ラッチ部３には、ラッチ部材の側らに収容部材たる収容部が設けられている。【００４３】  図３は、ラッチ部３を取り外した状態の図１のスライダー１，２の斜視図である。ラッチ部３は、スライダー胴体７の下翼部７３の下面８７に設けられた突部８９によってスライダー７に取り付けられる。即ち、突部８９は、図８に示されているラッチ部３の第１面３１に形成された凹部５７に挿入されるのである。【００４４】  スライダー胴体７の下翼部７３の下面８７に設けられた突部８９は、Ｔ字状断面を呈しており、下翼部７３の下面８７の近くに位置する首部９１と下面８７から離れて配されている頭部９３とを有している。ラッチ部３の下面３１に形成された凹部５７は、ラッチ部３の後面５９から延びており、当該凹部５７もＴ字状断面を呈しており、スライダー胴体７の突部８９が凹部５７に縦方向に挿入されることができ、これによって、スライダー胴体７はラッチ部３に取り付けられるのである。【００４５】  次に、図３について述べると、突部８９の頭部９３の外側９７に沿って二つの鋸刃状の突起部９５が配されている。突起部９５は傾斜面と直立面とを有している。突起部９５の傾斜面９９は、スライダー胴体７の前部方向に向いている。突起部９５の直立面はスライダー胴体７の後部方向に向いている。図７について述べると、ラッチ部３の第１面３１に形成された凹部５７には二つの対応する凹陥部６１が形成されている。これらの凹陥部６１の夫々まで傾斜面６３が連なって延びている。スライダー胴体７をラッチ部３の第１面３１に形成された凹部５７に挿入する際に、突起部９５は、この傾斜面６３に沿って傾斜面９９が滑動しながら走行するのである。図９は、図１のＩＸ−ＩＸ面に沿って切った断面図であり、突起部９５が凹陥部６１内へ挿入し、直立面が凹陥部６１の側部と当接することで係合したところを示している。【００４６】  また、ラッチ部３は、スライダー胴体７に接着してもよいし、他の適切な取付手段を用いる事も出来る。【００４７】  図１を参照すると、二つの全く同一の第１のスライダー１と第２のスライダー２が互いにラッチ連結することが出来ることがわかる。各スライダー１，２のラッチ部３は、夫々ラッチ部材と収容部とを備え、第１スライダー１のラッチ部３に第１収容部を設け、第２スライダー２のラッチ部３に第１収容部に収容され係合する第１ラッチ部材を設けている。又、第２スライダー２のラッチ部３に第２収容部を設け、第１スライダー１のラッチ部３に第２収容部に収容され係合する第２ラッチ部材を設けている。すなわち、各スライダー１，２のスライダー胴体７の下側には全く同一のラッチ部３が取り付けられている。これによって、協働する一対のスライダーを構成するために部品点数は少なくてもよいという長所を有するのである。【００４８】  ラッチ部３同士をラッチ係合させるには、ラッチ部３の当接面３３に形成された対応するテーパー状の孔部３７の段部４７を超えて夫々のラッチ部３の突出部３５の頭部４１を押入するため、二つのスライダー１，２を係合するような力を加えなければならない。要求される力は、突出部３５とテーパー状孔部３７の幾何学的特徴及びこれらの部材が作られている材料によって決まるのである。この構成によって、二つのラッチ部３間のスナップ連結がもたらされるのである。このラッチ部３を引き離すためには１５乃至２５Ｎの力が必要とされるのが好ましい。更に好ましくは、このラッチ部を引き離すためには１８乃至２２Ｎの力が必要とされるのが好ましい。そして、更に好ましくは、このラッチ部を引き離すためには２０Ｎの力が必要とされるのが好ましい。このとき、段部４７と頭部４１の一方又は双方の形状が弾性変形し、頭部４１が段部４７に引っ掛かることでスナップ連結し、頭部４１が段部４７から外れることで引き離される。【００４９】  図１０は、ジップファスナー１��と図１に示された二つのスライダー１，２を備えたバッグ９を示す斜視図である。ジップファスナー１１のエレメント１７を係合したり外したりするため、ジップファスナー１１に沿ってスライダー１，２を移動させるために夫々のスライダー１，２の引手取付部５３には引手１３が取り付けられている。ラッチ部３は、バッグの内部に位置する。【００５０】  以上説明したスライダーの実施例は、ジップファスナーに関するものであるけれども、この実施例は、他のいかなるタイプのスライダーにも等しく適用できるのである。上に記載した発明の説明を参照にして、当業者に、更なる修正例及び変形例が示唆されているものと理解さるべきである。上記の説明は、単に例として挙げられたものであり、本発明の権利範囲を限定することを意図したものではないのである。【００５１】  本発明は、単に例として上に説明されたものであり、本発明の技術思想の範囲内で色々な改良、修正が可能なのである。
【産業上の利用可能性】
【００５２】  本発明のスライドファスナーは、衣料品や、バッグ類等の開口部の止具として使用され、当該技術分野における産業上の利用価値が大きいのである。
【図面の簡単な説明】
【００５３】
【図１】  図１は、本発明による相互に係合している同一構造の第１及び第２スライダーの斜視図である。
【図２】  図２は、ひとつのスライダーの斜視図である。
【図３】  図３は、ラッチ部を取り外した状態の図１のスライダーの斜視図である。
【図４】  図４は、図１のスライダーのラッチ部の斜視図である。
【図５】  図５は、図４のラッチ部の平面図である。
【図６】  図６は、図５のＶＩ−ＶＩ線に沿って切った断面図である。
【図７】  図７は、図５のＶＩＩ−ＶＩＩ線に沿って切った断面図である。
【図８】  図８は、図４のラッチ部の端面図である。
【図９】  図９は、図１のＩＸ−ＩＸに沿って切った断面図である。
【図１０】  図１０は、ジップファスナーと図１の二つのスライダーを備えたバッグを示す斜視図である。
【図１】
2007529236.tif 000003
【図２】
2007529236.tif 000004
【図３】
2007529236.tif 000005
【図４】
2007529236.tif 000006
【図５】
2007529236.tif 000007
【図６】
2007529236.tif 000008
【図７】
2007529236.tif 000009
【図８】
2007529236.tif 000010
【図９】
2007529236.tif 000011
【図１０】
2007529236.tif 000012
【国際調査報告】
2007529236.tif 000013
2007529236.tif 000014
2007529236.tif 000015